(57)【要約】      （修正有）【課題】ガットの打球時に生じる反動力の衝撃波を干渉し、振動の減衰・緩衝を達成する、ラケットの振動減衰装置を提供する。【解決手段】振動減衰装置は：ラケット２のガット穴２１１に設置されている二つのグロメット２２間にガットが相互に張られ、その上端には当該ラケットのフレームの周りの方向に対応する一つまたは二つ以上の凸型ブロック１１１が設置されており、下ハードシート１１の中央には一つの凹型スロット１１２が設置されていることを特徴とする下ハードシートと；少なくとも一つの上ソフトブロック１２であって、当該下ハードシート上端に設置されており、当該上ソフトブロック内部には一つまたは二つ以上の凹型はめ込み溝１２１が設置されており、またそれに一致する当該下ハードシートの当該凸型ブロックに対応し、当該ガットは上ソフトブロックの中央に跨設されまた当該凹型スロットに対応する、少なくとも一つの上ソフトブロックと；を含む。【選択図】図１
0003232686.tif 000002
【実用新案登録請求の範囲】
【請求項１】
ラケットの振動減衰装置であって、
ラケットのフレームの周りに設置され、またガットがガット穴に設置される二つのグロメット間に相互に張られ、その上端に前記ラケットのフレームの周りの方向に対応する一つまたは二つ以上の凸型ブロックが設置されており、一つまたは二つ以上の前記凸型ブロックが隣接し、中央には一つの凹型スロットが設置されている下ハードシートと、
前記下ハードシート上端に設置され、内部には一つまたは二つ以上の凹型はめ込み溝が設置されており、また前記凹型はめ込み溝に一致する前記下ハードシートの一つまたは二つ以上の前記凸型ブロックに対応し、前記ガットは上端に位置する前記上ソフトブロックに押し下げられるようにその中央に跨設され、また前記下ハードシートの前記凹型スロットに対応する少なくとも一つの上ソフトブロックと、
が含まれており、
前記ラケットのフレームの前記二つのグロメット間に前記下ハードシートと前記上ソフトブロックを含む前記振動減衰装置が設置されることにより、異なる時点で前記ガットの打球時に生じる反動力の衝撃波に干渉し、またそれを受けることにより振動の減衰  緩衝を達成することを特徴とするラケットの振動減衰装置。
【請求項２】
前記下ハードシートは前記ラケットの前記ラケットのフレームの周りに一体成形されることができ、前記ガット穴の前記二つのグロメット間に位置することを特徴とする請求項１に記載のラケットの振動減衰装置。
【請求項３】
前記グロメットは前記下ハードシート両側に設置されることができ、下方に向けて延出し、前記ガットが通過する一つの穿孔を有することを特徴とする請求項１に記載のラケットの振動減衰装置。
【請求項４】
前記グロメットの内部には一つまたは二つ以上の前記凸型ブロックが設置されていることを特徴とする請求項３に記載のラケットの振動減衰装置。
【請求項５】
前記下ハードシートの一つまたは二つ以上の前記凸型ブロックは前記グロメットの前記穿孔内部に設置されることができ、また前記凸型ブロックに対応し一致する前記上ソフトブロックの前記凹型はめ込み溝は実体平面を呈するように平らにされていることを特徴とする請求項３に記載のラケットの振動減衰装置。
【請求項６】
前記下ハードシートの前記凸型ブロック及び前記上ソフトブロックの前記凹型はめ込み溝の配列は対称的な配列または非対称的な配列を呈することを特徴とする請求項１に記載のラケットの振動減衰装置。
【請求項７】
前記下ハードシートの前記凸型ブロック及び前記上ソフトブロックの前記凹型はめ込み溝の対称的な配列を呈する両端は整然とするように切られるか、または前記凸型ブロック及び前記上ソフトブロックの両端に凹むことを特徴とする請求項６に記載のラケットの振動減衰装置。
【請求項８】
前記下ハードシートの前記凸型ブロック及び前記上ソフトブロックの前記凹型はめ込み溝の非対称的な配列を呈する外端は整然とするように切られるか、または前記凸型ブロック及び前記上ソフトブロックが隣接する一端に凹むことを特徴とする請求項６に記載のラケットの振動減衰装置。
【請求項９】
前記下ハードシートの前記凸型ブロック及び前記上ソフトブロックの前記凹型はめ込み溝形状は幾何形状であってもよく、前記幾何形状は長方形、円弧形、歯形、台形であってもいいことを特徴とする請求項１に記載のラケットの振動減衰装置。
【請求項１０】
前記上ソフトブロック上端にはその他のユニットの少なくとも一つの上ソフトブロックが設置されてもよく、また前記凹型はめ込み溝は実体平面を呈するように平らにされていることを特徴とする請求項１に記載のラケットの振動減衰装置。
【考案の詳細な説明】
【技術分野】
【０００１】
本考案は振動減衰装置に関するものであり、特にラケット面のガットとボールとの打球時の接触により生じる反動力の衝撃波に干渉しまたそれを受けることにより、ラケットを通じて手首と腕に伝わる振動を減少するラケットの振動減衰装置を指すものである。
【背景技術】
【０００２】
縦ガット・横ガット（Ｙ軸、Ｘ軸）がラケットのフレームに張られている、従来の各種のラケットによると、当該ラケットのフレームは主にその周りに概ね対称性を持つ縦横ガット穴が設置されており、当該ガット穴内にグロメットが設置されており、当該ガットが当該グロメット内に挿入され、ある一定のテンションのラケット面が張られる。ガットを有する当該ラケットのフレームにより構成されるラケットは、激しいボール運動の一種である、たとえばテニスボール、バドミントン、スカッシュなど、ラケット面の適所にあたるのを捉えるために、ラケットを握る運動選手は迅速に移動するだけでなく、さらに連続性を有する必要があり、さらに重要なのはラケットのフレームのガットとボールとが打球時に接触する瞬間に生じる反動力の衝撃波であり、それは手首及び腕にしびれ感を生じさせ、当該反動力はガットを締め付けるテンション（即ち緊張度）と正比例の関係であり、テンションが大きいほどその反動力が大きく、当該反動力はラケットに沿って手首または腕に伝わり、バックハンドによるテニス肘またはフォアハンドによるゴルフ肘などの症状のようなスポーツ障害が生じやすい。それは下記のことに由来し、つまり、従来のラケットはラケットのフレームのガット間にガットが張られ、震動を少しも減少させてない装置であるので、当該ボールと当該ガットに構成されるラケット面を打球する時の接触により生じる反動力の衝撃波は、吸収緩衝されずに完全に手首及び腕に伝わり、ラケットを安定に握ることができず、また従来のラケットのフレームの周りの重量は使用者のニーズにより調整できないことにより、その実用性は大きく低下する。これは本分野における技術人員及び消費者が解決しようとすることである。
【考案の概要】
【考案が解決しようとする課題】
【０００３】
前記既存の技術不足を解決するため、本考案の主な目的は、ラケットの振動減衰装置を提供することであり、振動減衰装置に下ハードシート及び上ソフトブロックが設置され、下ハードシートにはまた凸型ブロック及び凹型スロットが設置され、上ソフトブロックは下ハードシート上端またはその他のユニットの上ソフトブロック上端に設置され、上ソフトブロックは凹型はめ込み溝が設置されまた下ハードシートの凸型ブロックに対応し、それにより既存の技術における難題を克服する。
【０００４】
本考案の次の目的は、ラケットの振動減衰装置を提供することであり、ラケットのフレームの二つのグロメット間に下ハードシートと上ソフトブロックを含む振動減衰装置が設置され、また異なる時点で当該ガットによる打球時に生じる反動力の衝撃波を干渉しまたそれを受けることにより振動の減衰  緩衝を達成する。
【０００５】
本考案のもう一つの目的は、ラケットの振動減衰装置を提供することであり、ラケット使用の安全性、握持の安定性を有効に引き上げ、またスポーツ障害を低減させる。
【０００６】
本考案の解決しようとする問題としては、縦ガット・横ガット（Ｙ軸、Ｘ軸）がラケットのフレームに張られている従来の各種ラケットの場合には、当該ラケットのフレームは主にその周りに概ね対称性を持つ縦横ガット穴が設置されており、当該ガット穴内にはグロメットが設置されており、当該ガットが当該グロメット内に挿入され、ある一定のテンションのラケット面が張られる。ラケットのフレームにおける、ガットとボールとが打球時に接触する瞬間に反動力の衝撃波が生じ、当該反動力もガットを締め付ける場合のテンションと正比例し、テンションが大きいほどその反動力が大きく、当該反動力はラケットに沿って手首または腕に伝わり、たとえばバックハンドによるテニス肘またはフォアハンドによるゴルフ肘の症状のようなスポーツ障害が生じやすい。また、従来のラケットがラケットのフレームに張られるガット間には、いかなる振動緩和の装置もないので、打球時のボールとラケット面との接触により生じる反動力の衝撃波は、吸収緩衝されずに完全に手首及び腕に伝わり、またラケットを握ることが不安定となり、その上、従来のラケットのフレームの周りには重量は使用者のニーズにより調整することができない。その結果、実用性において効果が大きく低下した。
【課題を解決するための手段】
【０００７】
問題を解決する技術手段としては、前記目的を達成するため、本考案はラケットの振動減衰装置を提供し、当該振動減衰装置は、
一つの下ハードシートであって、ラケットのフレームの周りに設置され、ガット穴に設置される二つのグロメット間にガットが相互に張られ、その上端には当該ラケットのフレームの周りの方向に対応する一つまたは二つ以上の凸型ブロックが設置されており、当該下ハードシートは一つまたは二つ以上の凸型ブロックが隣接しまた中央には一つの凹型スロットが設置されている、一つの下ハードシートと、
少なくとも一つの上ソフトブロックであって、当該下ハードシート上端に設置され、当該上ソフトブロック内部には一つまたは二つ以上の凹型はめ込み溝が設置され、またそれに一致する当該下ハードシートの当該一つまたは二つ以上の凸型ブロックに対応し、当該ガットは、上端に位置する当該上ソフトブロックに押し下げられるようにその中央に跨設され、また当該下ハードシートの当該凹型スロットに対応する、少なくとも一つの上ソフトブロックと、
を含むことを特徴としており、当該ラケットのフレームの当該二つのグロメット間に当該下ハードシートと当該上ソフトブロックを含む当該振動減衰装置が設置されることにより、異なる時点で当該ガットの打球時に生じる反動力の衝撃波を干渉しまたそれを受けることにより振動の減衰  緩衝を達成する。
【０００８】
その中で、本考案における当該下ハードシートは、一体成形できるように当該ラケットのフレームの周りに設置され、当該ガット穴の当該二つのグロメット間に位置する。
【０００９】
その中で、本考案における当該グロメットは、当該下ハードシート両側の下方に向けて延出するように設置されることができ、当該ガットが通過するように一つの穿孔が設置されている。
【００１０】
その中で、本考案における当該グロメット内部には、一つまたは二つ以上の凸型ブロックが設置されている。
【００１１】
その中で、本考案における当該下ハードシートの当該一つまたは二以上の凸型ブロックは、当該グロメットの当該穿孔内部に設置されることができ、それに対応しそれに一致する当該上ソフトブロックの当該凹型はめ込み溝は実体平面を呈するように平らにされている。
【００１２】
その中で、本考案における当該下ハードシートの当該凸型ブロック及び当該上ソフトブロックの当該凹型はめ込み溝の配列は、対称的な配列または非対称的な配列を呈している。
【００１３】
その中で、本考案における当該下ハードシートの当該凸型ブロック及び当該上ソフトブロックの当該凹型はめ込み溝の対称的な配列を呈する両端は、整然とするように切られ、または、当該凸型ブロック及び当該上ソフトブロックの両端に凹む。
【００１４】
その中で、本考案における当該下ハードシートの当該凸型ブロック及び当該上ソフトブロックの当該凹型はめ込み溝は、非対称的な配列を呈する外端は整然とするように切られ、または、当該凸型ブロック及び当該上ソフトブロックが隣接する一端に凹む。
【００１５】
その中で、本考案における当該下ハードシートの当該凸型ブロック及び当該上ソフトブロックの当該凹型はめ込み溝形状は、幾何形状を呈する。当該幾何形状は長方形、円弧形、歯形、台形であってもいい。
【００１６】
その中で、本考案における当該上ソフトブロック上端は、その他のユニットの少なくとも一つの上ソフトブロックを有することができ、当該凹型はめ込み溝は、実体平面を呈するように平らにされている。
【００１７】
従来の技術の効果と照合すると、本考案は当該振動減衰装置において当該下ハードシート及び当該上ソフトブロックが設置されており、当該下ハードシートには当該凸型ブロック及び当該凹型スロットが設置されており、当該上ソフトブロックは当該下ハードシート上端またはその他のユニットの当該上ソフトブロック上端に設置され、当該上ソフトブロックには当該凹型はめ込み溝が設置されておりまた当該下ハードシートの当該凸型ブロックと対応することにより、さらに、当該ラケットのフレームの当該二つのグロメット間に当該下ハードシートと当該上ソフトブロックを含む当該振動減衰装置が設置されており、また異なる時点で当該ガットの打球時に生じる反動力の衝撃波を干渉しまたそれを受けることにより、振動の減衰  緩衝を達成する；当該ラケット使用の安全性、握持の安定性を有効に引き上げ、またスポーツ障害を低減させ、進歩性、実用性と使用者のニーズに合致し、メリットをもたらすところが示される。
【図面の簡単な説明】
【００１８】
【図１】図１は本考案の立体分解図である。
【図２】図２は本考案の立体組み合わせ図である。
【図３】図３は本考案の組合せ断面図である。
【図４】図４は本考案における、三つの図において下ハードシートに設置される上ソフトブロックと、別途設置されるその凹型はめ込み溝が平らにされ固体を呈する上ソフトブロックとの組合せ断面図である。
【図５】図５は本考案におけるハードシートとラケットのフレームの一体成形の実施例を示す図である。
【図６】図６は本考案における、ハードシートの両端へ延出し下に向けて設置されるグロメットと、ソフトブロックとの立体分解図である。
【図７】図７は本考案の図６における、当該グロメットの穿孔内に別途設置される凸型ブロックと上ソフトブロックとの組合せ断面図である。
【図８】図８は本考案の図７における、下ハードシートに凸型ブロックが設置されず平面を呈する下ハードシートと、当該凹型はめ込み溝が実体平面を呈するように平らにされている上ソフトブロックとの組合せ断面図である。
【図９】図９は本考案における、ハードシートの凸型ブロック及び上ソフトブロックの凹型はめ込み溝が対称性を持つ立体分解図である。
【図１０】図１０は本考案におけるハードシートの凸型ブロック及び上ソフトブロックの凹型はめ込み溝が非対称性を持つ立体分解図である。
【図１１】図１１は本考案において、下ハードシートに単一の凸型ブロックが設置されており、また上ソフトブロックに単一の凹型はめ込み溝が設置されている立体分解図である。
【図１２】図１２は本考案における、下ハードシートの凸型ブロック及び上ソフトブロックの凹型はめ込み溝が対称性を持ち、なかに凹んでいる立体分解図である。
【図１３】図１３は本考案における、振動減衰装置がガットに押し下げられていない組合せ断面図である。
【図１４】図１４は本考案における、作振動減衰置がガットに押し下げられている組合せ断面図である。
【考案を実施するための形態】
【００１９】
本考案について、添付図に合わせて、実施例の表現形態で詳細に説明するが、内容のなかで使用する図面は、あくまで一例を示したものにすぎず、明細書の説明を補足するために使用される。これは本考案の実施後の実際の比例と精確な配置である必要がなく、添付した図面の比例と配置関係は本考案における実際の実施上における実用新案登録請求の範囲を制限するものと解釈するべきではない。
【００２０】
図１〜図１４を参照すると、好適な実施例において、本考案のラケットの振動減衰装置１は、一つの下ハードシート１１と少なくとも一つの上ソフトブロック１２を含む。
【００２１】
前記一つの下ハードシート１１は、ラケット２のラケットのフレーム２１の周りに設置され、ガット穴２１１に設置される二つのグロメット２２間にガット２３が相互に張られ、その上端には当該ラケットのフレーム２１の周方向に対応する一つ（図１１参照）または二つ以上の凸型ブロック１１１（図１、図２、図３参照）が設置されており、当該下ハードシート１１は、当該一つまたは二つ以上の凸型ブロック１１１が隣接しまた中央には一つの凹型スロット１１２（図１、図２、図３参照）が設置されている。当該下ハードシート１１は、当該ラケット２の当該ラケットのフレーム２１の周りに一体成形するように設置されることができ、当該ガット穴２１１の当該二つのグロメット２２間（図５参照）に位置する。当該グロメット２２には、当該下ハードシート１１両側の下方に向けて延出し、当該ガット２３が通過するように一つの穿孔２２１（図６参照）が設置されることができ、当該グロメット２２内部には一つまたは二つ以上の凸型ブロック１１１（図７参照）が設置されている。当該下ハードシート１１の当該一つまたは二つ以上の凸型ブロック１１１は当該グロメット２２の当該穿孔２２１内部に設置されることができ、またそれに対応し一致する当該上ソフトブロック１２の当該凹型はめ込み溝１２１は実体平面（図８参照）を呈するように平らにされている。当該下ハードシート１１の当該凸型ブロック１１１及び当該上ソフトブロック１２の当該凹型はめ込み溝１２１の配列は対称的な配列（図９参照）もしくは非対称的な配列（図１０参照）を呈する。当該下ハードシート１１の当該凸型ブロック１１１及び当該上ソフトブロック１２の当該凹型はめ込み溝１２１の対称的な配列を呈する両端は、当該凸型ブロック１１１及び当該上ソフトブロック１２の両端に整然とするように切られるか（図９、図１１参照）、またはその両端に凹む（図１２参照）。当該下ハードシート１１の当該凸型ブロック１１１及び当該上ソフトブロック１２の当該凹型はめ込み溝１２１の非対称的な配列を呈する外端は当該凸型ブロック１１１及び当該上ソフトブロック１２が隣接する一端に整然とするように切られるか（図１０参照）、またはその一端に凹む（図に示されていない）。
【００２２】
前記少なくとも一つの上ソフトブロック１２は、当該下ハードシート１１上端に設置され、当該上ソフトブロック１２内部には、一つまたは二つ以上の凹型はめ込み溝１２１が設置されており、それに一致する当該下ハードシート１１の当該一つまたは二つ以上の凸型ブロック１１１（図１、図２、図３参照）に対応し、当該ガット２３は上端の当該上ソフトブロック１２に押し下げられるようにその中央に跨設され、当該下ハードシート１１の当該凹型スロット１１２（図１３、図１４参照）に対応する。当該上ソフトブロック１２上端にはその他のユニットの少なくとも一つの上ソフトブロック１２が設置されてもよく、また当該凹型はめ込み溝１２１は実体平面（図４参照）を呈するように平らにされている。さらに当該振動減衰装置１により当該ラケット２をカウンターウェイトとし、それにより当該ラケット２を把持する時の把持力は平均的で安定性が高くなり、また当該下ハードシート１１の当該凸型ブロック１１１及び当該上ソフトブロック１２の当該凹型はめ込み溝１２１の形状は幾何形状（図１〜図１４参照）を呈することができる。ただし、これは本考案を制限するものではなく、本考案における当該幾何形状は長方形、円弧形、歯形、台形などの各種の幾何形状であってもいい。当該ラケットのフレーム２１の当該二つのグロメット２２間に、当該下ハードシート１１と当該上ソフトブロック１２を含む当該振動減衰装置１により、また異なる時点で当該ガット２３の打球時に生じる反動力の衝撃波に干渉しまたそれを受けることにより振動の減衰  緩衝を達成する。
【００２３】
それにより、本考案は当該振動減衰装置１に、当該下ハードシート１１及び当該上ソフトブロック１２が設置され、当該下ハードシート１１には、当該凸型ブロック１１１及び当該凹型スロット１１２が設置され、当該上ソフトブロック１２は、当該下ハードシート１１上端またはその他のユニットの当該上ソフトブロック１２上端に設置され、当該上ソフトブロック１２には、当該凹型はめ込み溝１２１が設置されており、それは当該下ハードシート１１の当該凸型ブロック１１１に対応する。さらに、当該ラケットのフレーム２１の当該二つのグロメット２２間に、当該下ハードシート１１と当該上ソフトブロック１２を含む当該振動減衰装置１が設置されており、また異なる時点で当該ガット２３の打球時に生じる反動力の衝撃波を干渉しまたそれを受けることにより、振動の減衰  緩衝を達成する。このようにして、当該ラケット２使用時の安全性や握持の安定性を有効に引き上げ、またスポーツ障害を低減させ、進歩性、実用性と使用者のニーズに合致し、メリットをもたらすところが示された。
【図１】
0003232686.tif 000003
【図２】
0003232686.tif 000004
【図３】
0003232686.tif 000005
【図４】
0003232686.tif 000006
【図５】
0003232686.tif 000007
【図６】
0003232686.tif 000008
【図７】
0003232686.tif 000009
【図８】
0003232686.tif 000010
【図９】
0003232686.tif 000011
【図１０】
0003232686.tif 000012
【図１１】
0003232686.tif 000013
【図１２】
0003232686.tif 000014
【図１３】
0003232686.tif 000015
【図１４】
0003232686.tif 000016